(57)【要約】      （修正有）【要約】消費者が容器を手で触る度にある触知感覚を消費者に与える、耐久性のある質感を外面上に有する喫煙物品の容器を提供する。【解決手段】不連続の触知コーティング１６を有する消費財のためのパッケージング１０が提供される。不連続の触知コーティング１６は、１又はそれ以上のワニス１８を、少なくとも約１０ミクロンの高さ及び少なくとも約２０ミクロンの間隔を有する複数の隆起した形状構成を含むパターンでパッケージング１０の外面に塗布することによって形成される。好ましい実施形態において、不連続の触知コーティングは、１又はそれ以上の着色ワニスをパッケージングの外面に塗布することによって形成される。【選択図】図１
0003176709.tif 000002
【実用新案登録請求の範囲】
【請求項１】
不連続の触知コーティング（１６）を有する消費財のためのパッケージングング（１０）であって、前記不連続の触知コーティング（１６）は、１又はそれ以上のワニス（１８）を、少なくとも約１０ミクロンの高さ及び少なくとも約２０ミクロンの間隔を有する複数の隆起した形状構成を含むパターンで前記パッケージング（１０）の外面に塗布することによって形成されることを特徴とするパッケージング（１０）。
【請求項２】
不連続の触知コーティング（１６）を有する喫煙物品の容器（１０）であって、前記不連続の触知コーティング（１６）は、１又はそれ以上のワニス（１８）を、少なくとも約１０ミクロンの高さ及び少なくとも約２０ミクロンの間隔を有する複数の隆起した形状構成を含むパターンで前記容器（１０）の外面に塗布することによって形成されることを特徴とする喫煙物品の容器（１０）。
【請求項３】
前記複数の隆起した形状構成は、実質的に同じ高さのものであることを特徴とする、請求項２に記載の喫煙物品の容器（１０）。
【請求項４】
前記不連続の触知コーティング（１６）は、グラフィックス、テキスト、又はこれらの組み合わせが印刷された前記容器（１０）の前記外面の部分上に施されることを特徴とする、請求項２に記載の喫煙物品の容器（１０）。
【請求項５】
前記不連続の触知コーティング（１６）は、１又はそれ以上の着色ワニスを前記容器（１０）の前記外面に塗布することによって形成されることを特徴とする、請求項２に記載の喫煙物品の容器（１０）。
【請求項６】
前記不連続の触知コーティング（１６）は、１又はそれ以上の紫外線ワニスを前記容器（１０）の前記外面に塗布することによって形成されることを特徴とする、請求項２に記載の喫煙物品の容器（１０）。
【請求項７】
前記不連続の触知コーティング（１６）は、約０．２から約１．０までの静止摩擦係数を有することを特徴とする、請求項２に記載の喫煙物品の容器（１０）。
【請求項８】
１又はそれ以上の折り畳まれた積層ブランクから形成された、請求項２に記載の喫煙物品の容器（１０）。
【請求項９】
前記１又はそれ以上の折り畳まれた積層厚紙ブランクは、約６０グラム毎平方メートルから約２５０グラム毎平方メートルの重量を有することを特徴とする、請求項８に記載の喫煙物品の容器（１０）。
【考案の詳細な説明】
【技術分野】
【０００１】
本発明は、不連続の触知（ｔａｃｔｉｌｅ）コーティングを有する消費財のためのパッケージングに関する。
【背景技術】
【０００２】
喫煙物品及び他の消費財は、一般的に、紙、厚紙又は他のシート材料の１又はそれ以上の折り畳まれた積層ブランク（ｌａｍｉｎａｔｅｄ  ｂｌａｎｋ）によって形成された容器の中に包装される。容器を形成するために喫煙物品の包まれた束の周りに折り畳まれる前に、容器の外部を形成する１又はそれ以上の積層ブランクの外面には、典型的に、製造業者又はブランドのロゴ、商標、スローガン、並びに他の製造業者、製品及び販売促進情報のようなグラフィックス及びテキストが、印刷され、エンボス加工され、デボス加工され、又は他の方法で装飾される。
【０００３】
消費財のためのパッケージングの印刷面を紫外線ワニスでコーティングすることが知られている。１つの周知の実施形態において、紫外線ワニスは、連続的なコーティングとして印刷面全体にわたって塗布される（全面又はフラッド・ワニス）。別の周知の実施形態においては、紫外線ワニスは、印刷面の選択された領域又はスポットに塗布される（スポット・ワニス）。典型的には、光沢のある反射コーティングを生成するために、透明かつ無色で光沢度の高い紫外線ワニスを用いて、消費財のためのパッケージングの印刷面をコーティングする。
【０００４】
消費者がパッケージングを手で触ったときに、消費者に触知感覚を与える質感を外面上に有する、消費財のためのパッケージングを提供することが望ましい。
多くの消費財のパッケージングは、購入直後に消費者によって廃棄される。これとは対照的に、典型的には、消費者は、シガレット及び他の喫煙物品の容器は、その内容物を消費するまで廃棄しない。従って、消費者が容器を手で触る度にある触知感覚を消費者に与える、耐久性のある質感を外面上に有する喫煙物品の容器を提供することが特に望ましい。
【先行技術文献】
【特許文献】
【０００５】
【特許文献１】米国特許４，７１４，０８２号明細書
【特許文献２】米国特許５，６９２，５２５号明細書
【考案の概要】
【０００６】
本発明によれば、不連続の触知コーティングを有する消費財のためのパッケージングが提供される。不連続の触知コーティングは、１又はそれ以上のワニスを、少なくとも約１０ミクロンの高さ及び少なくとも約２０ミクロンの間隔を有する複数の隆起した形状構成を含むパターンでパッケージングの外面に塗布することによって形成される。
明細書全体にわたって、「ワニス（ニス）」という用語は、硬化時に固化する液体コーティングを示すために用いられる。
明細書全体にわたって、「高さ」という用語は、パッケージングの外面に対して垂直方向の、隆起した形状構成の程度を示す。
複数の隆起した形状構成は、好ましくは、約１０ミクロンから約５００ミクロンまで、より好ましくは、約１０ミクロンから約１００ミクロンまでの高さを有する。
【０００７】
不連続の触知コーティングは、１又はそれ以上のワニスを、同じ又は異なる高さの複数の隆起した形状構成を含むパターンでパッケージングの外面に塗布することによって形成することができる。複数の隆起した形状構成は、実質的に同じ高さのものであることが好ましい。
明細書全体にわたって、「間隔」という用語は、パターン内の隣接する隆起した形状構成のピーク間の距離を示すために用いられる。
複数の形状構成は、好ましくは、約２０ミクロンから約１０ｃｍまで、より好ましくは、約２０ミクロンから約１ｃｍまで、最も好ましくは、約２０ミクロンから約０．１ｃｍまでの間隔を有する。
【０００８】
１又はそれ以上のワニスを本発明による消費財のためのパッケージングの外面に塗布することによって形成された複数の隆起した形状構成が、使用中にパッケージングを手で触ったときに消費者に触知感覚を与える、新規で耐久性があり非摩耗性の質感をパッケージングに提供することが有利である。
不連続の触知コーティングは、好ましくは、約０．２から約１．０まで、より好ましくは、約０．２５から約０．７５まで、最も好ましくは、約０．３から約０．５までの静止摩擦係数を有する。
不連続の触知コーティングは、１又はそれ以上のワニスを、複数の隆起した形状構成を含む任意のパターンでパッケージングの外面に塗布することによって形成することができる。
【０００９】
１つの実施形態において、不連続の触知コーティングは、１又はそれ以上のワニスを、規則的なパターンでパッケージングの外面に塗布することによって形成される。明細書全体にわたって、「規則的なパターン」という用語は、隆起した形状構成の規則的な列を含むパターンを示す。例えば、１又はそれ以上のワニスは、規則的な縞状パターン、規則的なチェック又は正方形パターン、規則的なレンガ・パターン、規則的なドット付き又はスポット付きパターン、規則的なハチの巣又は六角パターン、或いはいずれかの他の規則的な文字数字、絵文字又は幾何学パターンで、パッケージングの外面に塗布することができる。
【００１０】
別の実施形態において、不連続の触知コーティングは、１又はそれ以上のワニスを、不規則なパターンでパッケージングの外面に塗布することによって形成される。明細書全体にわたって、「不規則なパターン」という用語は、隆起した形状構成の非反復性の又はランダムな列を含むパターンを示すために用いられる。例えば、１又はそれ以上のワニスは、不規則なさざ波又は波パターン、不規則な回旋パターン、不規則な螺旋パターン、不規則な渦巻状パターン、不規則な木目パターン、不規則なタイヤ・トレッド・パターン、或いは不規則な動物の皮膚のパターン（例えば、牛、シマウマ、トラ、ヒョウ、ヘビ、アリゲータ、若しくはクロコダイルの皮膚のパターン）でパッケージングの外面に塗布することができる。
パターンは、複数の別個の隆起した形状構成を含むことが好ましい。
【００１１】
１又はそれ以上のワニスを複数の隆起した形状構成を含むパターンで実質的にパッケージングの外面全体に塗布することによって、本発明による消費財のためのパッケージングに、実質的にパッケージングの外部全体への不連続の触知コーティングを施すことができる。代替的に、１又はそれ以上のワニスを複数の隆起した形状構成を含むパターンでパッケージングの外面の一部分のみに塗布することによって、本発明による消費財のためのパッケージングに、パッケージングの外部の一部のみへの不連続の触知コーティングを施すことができる。
パターンは、パッケージングの外面の単位面積当たりの１又はそれ以上のワニスの濃度勾配又は濃度分布を含むことができる。例えば、パターン内の１又はそれ以上のワニスの濃度勾配は、低濃度を有する第１の部分と高濃度を有する第２の部分との間で変わり得る。
【００１２】
濃度勾配は、パターンの表面積を変えることによって（例えば、パターンの幾何学的形状構成のサイズ又は文字数字の形状構成のフォント・サイズを増大させることによって）達成することができる。代替的に又はこれに加えて、濃度勾配は、パターンにより隆起した形状構成の高さを変えることによって達成することができる。
不連続の触知コーティングは、グラフィックス、テキスト、又はこの２つの組み合わせを含むデザインが印刷されたパッケージングの外面の部分上に施されることが好ましい。例えば、不連続の触知コーティングは、１又はそれ以上のワニスを、製造業者又はブランドのロゴ、商標、スローガン又は他の広告、販売促進若しくは製品情報が印刷されたパッケージングの外面の部分に塗布することよって形成することができる。代替的に又はこれに加えて、不連続の触知コーティングを、パッケージングの外面の印刷されていない部分又は無地の部分上に施すことができる。
【００１３】
デザインが印刷されているパッケージングの外面の一部上に不連続の触知コーティングが施される場合、不連続の触知コーティングは、１又はそれ以上のワニスを、印刷されたデザインの１又はそれ以上の形状構成に対応するパターンでパッケージングの外面に塗布することによって形成することができる。有利なことに、このことは、パターンに対応する印刷されたデザインの形状構成を強調する効果を有する。例えば、不連続の触知コーティングは、１又はそれ以上のワニスを、外面上に印刷された製造業者又はブランドのロゴに対応するパターンでパッケージングの外面に塗布することによって形成することができる。
【００１４】
特に好ましい実施形態において、不連続の触知コーティングは、１又はそれ以上の着色ワニスをパッケージングの外面に塗布することによって形成される。
触知感覚を与える新規な質感をもたらすだけではなく、有利なことに、本発明による消費財のためのパッケージングの外面への１又はそれ以上の着色ワニスの塗布は、パッケージングの外部に新規な外観を与える。
【００１５】
明細書全体にわたって、「着色ワニス」という用語は、顔料、染料及び艶消し剤からなる群から選択される少なくとも１つの着色剤を含むワニスを示すために用いられる。少なくとも１つの着色剤は、着色ワニスの色及び乳白度の一方又は両方に影響を及ぼし得る。
不連続の触知コーティングは、同じ又は異なる色の２又はそれ以上の着色ワニスをパッケージングの外面に塗布することによって形成することができる。
代替的に又はこれに加えて、不連続の触知コーティングは、同じ又は異なる乳白度の２又はそれ以上の着色ワニスをパッケージングの外面に塗布することによって形成することができる。
【００１６】
デザインが印刷されたパッケージングの外面の部分上に不連続の触知コーティングが施される場合、不連続の触知コーティングは、デザインと同じ又は異なる色の１又はそれ以上の着色ワニスをパッケージングの外面に塗布することによって形成することができる。
艶消し剤は、例えば、最高で着色ワニスの約５０重量％までの量で１又はそれ以上の着色ワニス内に存在し得る。
顔料及び染料は、例えば、着色ワニスの約１重量％から約４５重量％まで、好ましくは、約１０重量％から約２０重量％までの量で１又はそれ以上の着色ワニス内に存在し得る。
【００１７】
１又はそれ以上の着色ワニスの着色範囲は、約０．５％から約１００％までとすることができる。
１又はそれ以上の着色ワニスは、いずれかの適切な顔料、染料又は艶消し剤、或いは顔料、染料及び艶消し剤の適切な組み合わせを含むことができる。例えば、１又はそれ以上の着色ワニスは、有機顔料を含むことができる。
【００１８】
パッケージングは、その外面の少なくとも一部が、ワニスを塗布することができる材料又は材料の組み合わせから形成されるならば、任意の適切な材料又は材料の組み合わせから形成することができる。適切な材料には、これらに限定されるものではないが、紙、厚紙（例えば、板紙、ボール紙、又はカートン用板紙）、積層厚紙（例えば、フィルム積層厚紙又は箔積層厚紙）、プラスチック、金属及びこれらの組み合わせが含まれる。
【００１９】
パッケージングは、厚紙から形成されることが好ましい。より好ましくは、パッケージングは、約５０グラム毎平方メートルから約３５０グラム毎平方メートルの重量を有する厚紙から形成される。最も好ましくは、パッケージングは、約６０グラム毎平方メートルから約２５０グラム毎平方メートルの重量を有する厚紙から形成される。
パッケージングは、好ましくは、１又はそれ以上の折り畳まれた積層ブランクから、より好ましくは、１又はそれ以上の折り畳まれた積層厚紙ブランクから形成される。
不連続コーティングは、１又はそれ以上のワニスを、いずれか適切な方法でパッケージングの外面に塗布することによって形成することができる。例えば、１又はそれ以上のワニスは、グラビア又は輪転グラビア印刷、フレキソ印刷、リソグラフ印刷、オフセット印刷、或いはスクリーン印刷によって塗布することができる。
【００２０】
１又はそれ以上のワニスは、パッケージングを組み立てた後に、外面に塗布することができる。代替的に、１又はそれ以上のワニスは、パッケージングの組み立て前又は組み立て中のいずれかの時点でパッケージングを形成する１つ又はそれ以上の構成要素又は材料に塗布することができる。１又はそれ以上のワニスは、パッケージングが後に形成される１又はそれ以上の積層ブランクに、より好ましくは、パッケージングが後に形成される１又はそれ以上の事前印刷された積層厚紙ブランクに塗布されることが好ましい。
【００２１】
複数の隆起した形状構成を含むパターンで１又はそれ以上のワニスをそこに塗布した後、１又はそれ以上の積層ブランクを折り畳んで、パッケージングを形成することができる。例えば、有利なことに、従来技術の喫煙物品のパック及びカートンの生産に用いられる周知の利用可能な機械及び方法を用いて、１又はそれ以上の積層ブランクを喫煙物品の包まれた束の周りに折り畳み、喫煙物品の容器を形成することができる。
【００２２】
２又はそれ以上のワニスを複数の隆起した形状構成を含むパターンでパッケージングの外面に塗布することによって不連続コーティングが形成される場合、２又はそれ以上のワニスを同時に又は連続的に塗布することができる。
例えば、不連続の触知コーティングは、連続的に塗布する単一のローラ又はシリンダを用いて２又はそれ以上のワニスをパッケージングの外面に塗布することにより形成することができ、ここで、２又はそれ以上のワニスの異なるものが、各ステップにおいて塗布される。代替的に、不連続の触知コーティングは、多数のローラ又はシリンダを用いて２又はそれ以上のワニスをパッケージングの外面に塗布することにより形成することができ、ここで、各々のローラ又はシリンダは、２又はそれ以上のワニスの別個のものを塗布する。
【００２３】
複数の隆起した形状構成を含むパターンでパッケージングの外面に塗布されると、１又はそれ以上のワニスをいずれかの適切な周知の方法で硬化させて、不連続の触知コーティングを形成することができる。
好ましい実施形態においては、１又はそれ以上のワニスは、不活性ガス雰囲気中で硬化される。例えば、１又はそれ以上のワニスは、二酸化窒素又は二酸化炭素雰囲気下で硬化させることができる。
代替的に又はこれに加えて、１又はそれ以上のワニスは、他の周知の方法で硬化させることができる。例えば、１又はそれ以上のワニスは、紫外線への露光によって硬化させることができる。
【００２４】
本発明に用いるための適切なワニスは、当技術分野において周知であり、例えば、スイス国、Ａｄｌｉｓｗｉｌ所在のＳｃｈｍｉｄ  Ｒｈｙｎｅｒ  ＡＧから市販されている。
本発明によるパッケージングは、様々な消費財のために用いることができる。特に好ましい実施形態においては、本発明によるパッケージングは、喫煙物品のために用いられる。
【００２５】
本発明によれば、本発明によるパッケージングを含む喫煙物品の容器も提供される。
本発明による喫煙物品の容器は、喫煙物品の複数の個々のパックを含む喫煙物品又はカートンの個々のパックとすることができる。
本発明による喫煙物品の容器が喫煙物品の個々のパックである場合、それらは、これらに限定されるものではないが、ヒンジ蓋パック、引き出し型（ｓｌｉｄｅ  ａｎｄ  ｓｈｅｌｌ）パック、ショルダー型パック及びブックレット型パックを含む周知の喫煙物品の周知のパックと実質的に同じ構造を有することができる。同様に、本発明による喫煙物品の容器が喫煙物品の複数の個々のパケットを含むカートンである場合、それらは、喫煙物品の周知のカートンと実質的に同じ構成を有することができる。
【００２６】
本発明による喫煙物品の容器は、「ハード」パックとすることができる。例えば、本発明による容器は、箱部分と、容器の後部壁にわたるヒンジ線に沿って箱部分に接続された蓋部分とを含む剛性ヒンジ蓋容器とすることができる。このような実施形態において、不連続の触知コーティングは、箱部分及び蓋部分の一方又は両方の外部上に施すことができる。
【００２７】
代替的に、本発明による喫煙物品の容器は、外側シェルと、喫煙物品を収容し、外側シェル内に摺動可能な内側スライド又はトレイとを有する剛性の引出し型容器とすることができる。このような実施形態において、不連続の触知コーティングは、剛性の引き出し型容器の、外側シェルの外部上に又は外側シェル及び内側スライドの外部上に施すことができる。
更に別の実施形態において、本発明による喫煙物品の容器は、喫煙物品の包まれた束を収容するカップ形状の箱を含む「ソフト」パックとすることができる。
【００２８】
本発明による喫煙物品の容器は、１つ又はそれ以上の直角の縦方向縁部、１つ又はそれ以上の直角の横断方向縁部、１つ又はそれ以上の丸みを帯びた縦方向縁部、１つ又はそれ以上の丸い横断方向縁部、１つ又はそれ以上の傾斜した縦方向縁部、１つ又はそれ以上の傾斜した横方向縁部、又はこれらのいずれかの適切な組み合わせを有することができる。例えば、容器が生成される１又はそれ以上の積層ブランクに周知の方法で切り目を入れることによって、本発明による喫煙物品の「丸いコーナー部」及び「傾斜したコーナー部」の容器を生成することができる。
【００２９】
有利なことに、本発明による喫煙物品の容器は、これらに限定されるものではないが、従来の端火付け紙巻シガレット（ｌｉｔ−ｅｎｄ  ｃｉｇａｒｅｔｔｅ）、葉巻又はシガリロ、可燃性燃料要素又は熱源及びエアロゾル生成基板を含む加熱喫煙物品（例えば、特許文献１に開示されたタイプのシガレット）、並びに電気喫煙システム（例えば、特許文献２に開示されたタイプのシガレット）と共に用いるための喫煙物品を含む喫煙物品を収容することができる。
【００３０】
パッケージングの寸法を適切に選択することによって、本発明による喫煙物品の容器が、異なる総数の喫煙物品又は異なる構成の喫煙物品を収容できることが認識されるであろう。例えば、本発明による容器は、合計１０本から３０本までの喫煙物品を収容することができる。
【００３１】
喫煙物品の総数に応じて、喫煙物品を異なる配列順で配置することができる。例えば、喫煙物品は、６本、７本、８本、９本又は１０本の単列で配置することができる。代替的に、喫煙物品は、２つ又はそれ以上の列で配置することができる。２つ又はそれ以上の列は、同じ数の喫煙物品を含むことができる。例えば、喫煙物品は、５本、６本、７本、８本、９本若しくは１０本の２列、５本若しくは７本の３列、又は４本、５本若しくは６本の４列に配置することができる。代替的に、２つ又はそれ以上の列は、互いに異なる数の喫煙物品を含む少なくとも２つの列を含むことができる。例えば、喫煙物品は、５本の列及び６本の列（５−６）、６本の列及び７本の列（６−７）、７本の列及び８本の列（７−８）、５本の中央の列及び６本の２つの外側の列（６−５−６）、５本の中央列及び７本の２つの外側列（７−５−７）、６本の中央列及び５本の２つの外側列（５−６−５）、６本の中央列及び７本の２つの外側列（７−６−７）、７本の中央列及び６本の２つの外側列（６−７−６）、９本の中央列及び８本の２つの外側列（８−９−８）、又は５本の１つの外列及び７本の１つの外列を有する６本の中央列（５−６−７）で配置することができる。
【００３２】
代替的に又はこれに加えて、本発明による喫煙物品の容器は、異なる寸法の喫煙物品（例えば、異なる長さ又は異なる周囲の喫煙物品）を収容することができる。例えば、容器は、約４０ｍｍから約１８０ｍｍまでの長さと、約４ｍｍから約９ｍｍまでの直径とを有する喫煙物品を収容することができる。
【００３３】
本発明による喫煙物品の容器は、フィルタなしの喫煙物品及び種々のフィルタ先端部を有する喫煙物品を収容することができる。さらに、本発明による喫煙物品の容器は、同じタイプ又はブランドの、或いは異なるタイプ又はブランドの喫煙物品（例えば、異なるフィルタ、タバコ・ブレンド、風味、総粒子状物質の輸送、延伸又はニコチンの輸送に対する抵抗を有する喫煙物品）を収容することができる。容器の寸法は、喫煙物品の長さ及び内部に収容される喫煙物品の配列順に適合されることが好ましい。典型的には、容器の外寸は、内部に収容される喫煙物品の束の寸法より約０．５ｍｍ乃至約５ｍｍ長い。
【００３４】
本発明による喫煙物品の容器は、例えば、金属箔又は金属化紙の内側ライナ内に包まれた複数の喫煙物品を収容することが好ましい。
本発明の喫煙物品の容器は、既知の方法で、これらに限定されるものではないが、セロハン、例えばポリエチレン又はポリプロピレンのポリマー薄膜、金属化ポリマー薄膜及び積層ポリマー薄膜を含む、いずれかの適切な周知の材料又は材料の組み合わせで、周知の方法によって上包装する（ｏｖｅｒｗｒａｐ）することができる。本発明による喫煙物品の容器は、１つ又はそれ以上の開封テープを含む包装機（ｏｖｅｒｗｒａｐｐｅｒ）により上包装することができる。１つ又はそれ以上の開封テープは、容器の外周の周りに横断方向又は縦方向に延びることができる。
【００３５】
本発明によれば、不連続の触知コーティングを有する消費財のためのパッケージングを作製する方法がさらに提供され、この方法は、１又はそれ以上のワニスを、少なくとも約１０ミクロンの高さ及び少なくとも約２０ミクロンの間隔を有する複数の隆起した形状構成を含むパターンで積層ブランクの外面に塗布することと、１又はそれ以上のワニスを硬化させることとを含む。
【００３６】
この方法は、不活性ガス雰囲気中で１又はそれ以上のワニスを硬化させることを含むことが好ましい。例えば、この方法は、二酸化窒素又は二酸化炭素雰囲気中で１又はそれ以上のワニスを硬化させることを含むことができる。
好ましい実施形態において、この方法は、喫煙物品の束の周りに積層ブランクを折り畳むことをさらに含む。
本発明が、添付図面を参照してほんの一例としてさらに説明される。
【図面の簡単な説明】
【００３７】
【図１】着色ワニスを規則的な縞状パターンでヒンジ式蓋パックの前部壁に塗布することによって形成された不連続の触知コーティングを有する、本発明の実施形態による喫煙物品のヒンジ蓋容器の斜視図を示す。
【図２（ａ）】１又はそれ以上のワニスを本発明による消費財のためのパッケージングの外面に塗布することができる規則的なパターンの例を示す。
【図２（ｂ）】１又はそれ以上のワニスを本発明による消費財のためのパッケージングの外面に塗布することができる規則的なパターンの例を示す。
【図２（ｃ）】１又はそれ以上のワニスを本発明による消費財のためのパッケージングの外面に塗布することができる規則的なパターンの例を示す。
【図２（ｄ）】１又はそれ以上のワニスを本発明による消費財のためのパッケージングの外面に塗布することができる規則的なパターンの例を示す。
【図２（ｅ）】１又はそれ以上のワニスを本発明による消費財のためのパッケージングの外面に塗布することができる不規則なパターンの例を示す。
【図２（ｆ）】１又はそれ以上のワニスを本発明による消費財のためのパッケージングの外面に塗布することができる不規則なパターンの例を示す。
【考案を実施するための形態】
【００３８】
図１に示される喫煙物品のヒンジ蓋容器１０が、一般に、下方箱部分１２と、ヒンジ蓋容器１０の後部にわたる水平方向ヒンジ線に沿って下方箱部分１２にヒンジ取り付けされた上方蓋部分１４とを含む。下方箱部分１２及び上方蓋部分１４は、直角の垂直方向縁部及び直角の水平方向縁部を有する従来のヒンジ蓋シガレット・パックの箱部分及び蓋部分と同じ一般的な構成を有する。下方箱部分１２及び上方蓋部分１４は、単一の折り畳まれた、一体型の積層厚紙ブランクから形成される。
【００３９】
ヒンジ蓋容器の以下の説明において、「上方」及び「上部」、「底部」及び「下方」、並びに「前部」及び「後部」という用語は、開いた容器の上部側を通して容器内の喫煙物品を取り出すことができるように、開口中、容器が消費者により直立位置に保持されるときのヒンジ蓋容器の構成要素の相対位置を説明するために用いられる。これらの用語は、ヒンジ蓋容器の実際の配向に関係なく用いられる。
【００４０】
下方箱部分１２は、前部壁と、右側壁と、左側壁と、後壁と、底部壁とを有する。上方蓋部分１４は、同様に、前部壁と、右側壁と、左側壁と、後壁とを有し、これらは、箱部分１２及び蓋部分１４が図１に示される閉鎖位置にあるとき、下方箱部分１２の対応する壁の延長としてそれぞれ機能する。ヒンジ蓋容器１０の上方蓋部分１４は、上方蓋部分１４が図１に示される閉鎖位置にあるときに下方箱部分１２の底部壁と対向する、上部壁をさらに含む。ヒンジ蓋容器１０の箱部分１２及び蓋部分１４の前部壁には、べた一色の（ｓｏｌｉｄ−ｃｏｌｏｕｒｅｄ）文字Ａ、Ｂ及びＣによって図１に概略的に表される製造業者、製品及び販売促進情報が印刷される。
【００４１】
不連続の触知コーティング１６が、製造業者、製品及び販売促進情報が印刷されたヒンジ蓋容器１０の外部の部分上に施される。図１に示されるように、不連続の触知コーティング１６は、着色ワニス１８を、規則的な縦縞パターンでヒンジ蓋容器１０の箱部分１２及び蓋部分１４の前部壁の外面の印刷部分に塗布することによって形成される。
代替的な実施形態（図示せず）においては、着色ワニスを、規則的な縦縞パターンで箱部分１２及び蓋部分１４の前部壁の外面全体に塗布することによって、図１のヒンジ蓋容器に不連続の触知コーティングが施される。
【００４２】
本発明は、単一壁の外面上に不連続の触知コーティングを有するヒンジ蓋容器に関して上記に例示されたが、本発明による喫煙物品の容器は、該容器の２つ又はそれ以上の壁の外面上に施される不連続コーティングを有することができることが認識されるであろう。例えば、更に別の実施形態（図示せず）において、着色ワニスを、規則的な縦縞パターンで箱部分１２の前部壁、右側壁、左側壁、後壁及び底部壁の外面全体、並びに、蓋部分１４の前部壁、右側壁、左側壁、後壁及び上部壁の外面全体に塗布することによって、図１のヒンジ蓋容器の外部全体に不連続の触知コーティングが施される。
【００４３】
さらに、本発明による消費財のためのパッケージングは、１又はそれ以上のワニスを、その各々が複数の隆起した形状構成を含む２つ又はそれ以上の異なるパターンでパッケージングの外面に塗布することによって形成される不連続コーティングを有することができることが認識されるであろう。例えば、他の実施形態（図示せず）において、着色ワニスを（ｉ）不規則な渦巻きパターンで箱部分１２及び蓋部分１４の前部壁の外面全体に、及び、（ｉｉ）規則的な縦縞パターンで箱部分１２及び蓋部分１４の後壁の外面全体に塗布することによって、図１のヒンジ蓋容器に不連続の触知コーティングが施される。
【００４４】
本発明は、着色ワニスを、規則的な縞状パターンで箱部分１２及び蓋部分１４の前部壁の外面の部分に塗布することによって形成される不連続の触知コーティングを有する喫煙物品の容器に関して上記に例示してきたが、本発明による消費財のためのパッケージングは、１又はそれ以上のワニスを、他の規則的又は不規則なパターンでパッケージングの外面に塗布することによって形成される不連続コーティングを有し得ることが認識されるであろう。１又はそれ以上のワニスを本発明による消費財のためのパッケージングの外面に塗布して、不連続の触知コーティングを形成することができる他の規則的なパターンの例が、図２ａ乃至図２ｄに示される。１又はそれ以上のワニスを本発明による消費財のためのパッケージングの外面に塗布して、不連続の触知コーティングを形成することができる不規則なパターンの例が、図２ｅ及び図２ｆに示される。
さらに、本発明による消費財のためのパッケージングが１又はそれ以上の無着色ワニスをパッケージングの外面に塗布することによって形成される不連続コーティングを有することができることが認識されるであろう。
【符号の説明】
【００４５】
１０：容器
１２：下方箱部分
１４：上方蓋部分
１６：不連続の触知コーティング
１８：着色ワニス
【図１】
0003176709.tif 000003
【図２（ａ）】
0003176709.tif 000004
【図２（ｂ）】
0003176709.tif 000005
【図２（ｃ）】
0003176709.tif 000006
【図２（ｄ）】
0003176709.tif 000007
【図２（ｅ）】
0003176709.tif 000008
【図２（ｆ）】
0003176709.tif 000009